(57)【要約】      （修正有）【課題】粘土を加熱することにより、容易に立体形状の消しゴムを作成することができる消しゴム作成キットを提供する。【解決手段】熱を加えることにより消しゴム状に硬化しうる粘土と、上記粘土を充填することにより上記粘土を立体形成しうる立体型と、上記立体型により形成された立体粘土を内部に載置しうると共に上記立体粘土を水没させる水量の水を蓄えうる容器とを有する消しゴム作成キットであって、上記容器内部に上記立体粘土を載置して、上記立体粘土を水没させた状態で水を加熱することにより消しゴムを作成しうる。【選択図】図１
0003142498.tif 000002
【実用新案登録請求の範囲】
【請求項１】
熱を加えることにより消しゴム状に硬化しうる粘土と、上記粘土を充填することにより上記粘土を立体形成しうる立体型と、上記立体型により形成された立体粘土を内部に載置しうると共に上記立体粘土を水没させる水量の水を蓄えうる容器とを有する消しゴム作成キットであって、
上記容器内部に上記立体粘土を載置して、上記立体粘土を水没させた状態で水を加熱することにより消しゴムを作成しうることを特徴とする消しゴム作成キット。
【請求項２】
上記容器は電子レンジの加熱に対応する耐熱性を有し、電子レンジにより水を加熱することにより消しゴムを作成しうることを特徴とする請求項１記載の消しゴム作成キット。
【請求項３】
上記立体型は凹部を有する２つのハーフから構成され、
上記凹部は、上記２つのハーフを互いに当接させた際に、上記凹部の縁部が互いに当接して上記凹部に充填された粘土が上記凹部により押圧されることにより、全体として立体形状の上記立体粘土を作成しうることを特徴とする請求項１または２記載の消しゴム作成キット。
【請求項４】
上記２つのハーフは、夫々、平面方形状に形成されると共に、互いに嵌合しうる複数の固定部を有し、上記複数の固定部を嵌合した場合に、各辺が一致する同一平面形状に形成されていることを特徴とする請求項１〜３のいずれか１項に記載の消しゴム作成キット。
【請求項５】
上記粘土は複数の色彩を有し、単色の色彩のブロックを複数個有することを特徴とする請求項１〜４のいずれか１項に記載の消しゴム作成キット。
【考案の詳細な説明】
【技術分野】
【０００１】
本考案は、消しゴム作成キットに係り、特に、容易に立体形状の消しゴムを作成することができる消しゴム作成キットに関する。
【背景技術】
【０００２】
従来から、粘土を使用して立体形状を形成しうる様々な粘土遊び用具が提案されている。
しかしながら、作成した立体形状の粘土は破損し易いため保存は困難である。
一方、様々な立体形状の消しゴムが市場において販売されており、好みの立体形状の消しゴムを購入することが可能である。
しかしながら、好みの消しゴムが販売されていなかったり、購入できない場合がある。
従って、立体形状の消しゴムを容易に作成しうるのであれば、自分の好みの消しゴムを作成でき、消しゴムを作成する楽しみをうることができ、さらに、市場で流行の消しゴムであっても自分で作成することができる。そして作成過程において自分なりのアレンジを施すこともできる。
このような観点から、粘土に熱を加えることにより消しゴムを作成しうる消しゴム作成キットが市場において販売されている。
しかしながら、このような消しゴム作成キットにおいては、粘土の状態から自分で立体形状を形成するため、自分の好みの立体感を表現することは困難な場合が多かった。
また、粘土に熱を加える際、オーブントースターの予熱で加熱したり、湯がく等により加熱していたため、煩雑であり、安全性において問題が存していた。
【考案の開示】
【考案が解決しようとする課題】
【０００３】
本考案は、粘土を加熱することにより、容易に立体形状の消しゴムを作成することができる消しゴム作成キットを提供することにある。
【課題を解決するための手段】
【０００４】
上記課題を解決するために、請求項１記載の考案にあっては、熱を加えることにより消しゴム状に硬化しうる粘土と、上記粘土を充填することにより上記粘土を立体形成しうる立体型と、上記立体型により形成された立体粘土を内部に載置しうると共に上記立体粘土を水没させる水量の水を蓄えうる容器とを有する消しゴム作成キットであって、上記容器内部に上記立体粘土を載置して、上記立体粘土を水没させた状態で水を加熱することにより消しゴムを作成しうることを特徴とする。
従って、上記容器内部に上記立体粘土を載置して、上記立体粘土を水没させた状態で水を加熱することにより上記粘土を消しゴム状に硬化させて消しゴムを作成することができる。
【０００５】
請求項２記載の考案にあっては、上記容器は電子レンジの加熱に対応する耐熱性を有し、電子レンジにより水を加熱することにより消しゴムを作成しうることを特徴とする。
従って、電子レンジにより水を加熱することにより上記粘土を消しゴム状に硬化させて消しゴムを作成することができる。
【０００６】
請求項３記載の考案にあっては、上記立体型は凹部を有する２つのハーフから構成され、上記凹部は、上記２つのハーフを互いに当接させた際に、上記凹部の縁部が互いに当接して上記凹部に充填された粘土が上記凹部により押圧されることにより、全体として立体形状の上記立体粘土を作成しうることを特徴とする。
従って、上記立体型は凹部を有する２つのハーフから構成され、上記凹部は、上記２つのハーフを互いに当接させた際に、上記凹部の縁部が互いに当接して上記凹部に充填された粘土が上記凹部により押圧されることにより、全体として立体形状の上記立体粘土を作成できるので、上記凹部の形状により精巧な立体形状を有する消しゴムを作成することができる。
【０００７】
請求項４記載の考案にあっては、上記２つのハーフは、夫々、平面方形状に形成されると共に、互いに嵌合しうる複数の固定部を有し、上記複数の固定部を嵌合した場合に、各辺が一致する同一平面形状に形成されていることを特徴とする。
従って、上記２つのハーフは、夫々、平面方形状に形成されると共に、互いに嵌合しうる複数の固定部を有し、上記複数の固定部を嵌合した場合に、各辺が一致する同一平面形状に形成されているので、上記複数の固定部を嵌合させることにより、同一平面形状を有する上記２つのハーフを互いに一致させることができると共に、上記凹部の縁部を互いに当接させることができる。
【０００８】
請求項５記載の考案にあっては、上記粘土は複数の色彩を有し、単色の色彩のブロックを複数個有することを特徴とする。
従って、複数の色彩を施した消しゴムを作成することができる。
【考案の効果】
【０００９】
請求項１の考案にあっては、上記容器内部に上記立体粘土を載置して、上記立体粘土を水没させた状態で水を加熱することにより上記粘土を消しゴム状に硬化させて消しゴムを作成することができるので、容易に立体形状の消しゴムを作成することができる消しゴム作成キットを提供することができる。
【００１０】
請求項２記載の考案にあっては、上記容器は電子レンジの加熱に対応する耐熱性を有し、電子レンジにより水を加熱することにより上記粘土を消しゴム状に硬化させて消しゴムを作成することができるので、立体形状の消しゴムを安全に作成することができる消しゴム作成キットを提供することができる。
【００１１】
請求項３記載の考案にあっては、上記立体型は凹部を有する２つのハーフから構成され、上記凹部は、上記２つのハーフを互いに当接させた際に、上記凹部の縁部が互いに当接して上記凹部に充填された粘土が上記凹部により押圧されることにより、全体として立体形状の上記立体粘土を作成できるので、上記凹部の形状により精巧な立体形状を有する消しゴムを作成することができる消しゴム作成キットを提供することができる。
【００１２】
請求項４記載の考案にあっては、上記複数の固定部を嵌合させることにより、同一平面形状を有する上記２つのハーフを互いに一致させることができると共に、上記凹部の縁部を互いに当接させることができるので、上記複数の固定部を嵌合させることにより、より容易に立体形状の消しゴムを作成することができる消しゴム作成キットを提供することができる。
【００１３】
請求項５記載の考案にあっては、複数の色彩を施した消しゴムを作成することができるので、自分好みの色彩の消しゴムを容易に作成することができる消しゴム作成キットを提供することができる。
【考案を実施するための最良の形態】
【００１４】
以下、図面を用いて本考案の実施の形態について説明する。
図１に示すように、本考案に係る消しゴム作成キット１０は、熱を加えることにより消しゴム状に硬化しうる粘土１１，１２，１３，１４と、上記粘土１１，１２，１３，１４を充填することにより上記粘土１１，１２，１３，１４を立体形成しうる立体型１５と、上記立体型１５により形成された図４（ｃ）に示すような立体粘土１６，１７を内部に載置しうると共に上記立体粘土１６，１７を水没させる水量の水Ａを蓄えうる図１に示すような容器１８とを有する消しゴム作成キット１０であって、上記容器１８内部に上記立体粘土１６，１７を載置して、上記立体粘土１６，１７を水没させた状態で水Ａを加熱することにより図２に示すような消しゴム１９，２０，２１，２２を作成しうるように構成されている。
また、上記容器１８は電子レンジ（図示せず）の加熱に対応する耐熱性を有し、電子レンジにより水を加熱することにより図２に示すような消しゴム１９，２０，２１，２２を作成しうるように構成されている。
また、図１に示すように、上記立体型１５は凹部２３ａ，２４ａ，２５ａ，２６ａ，２７ａ，２８ａ，２３ｂ，２４ｂ，２５ｂ，２６ｂ，２７ｂ，２８ｂを有する２つのハーフ２９，３０から構成され、上記凹部２３ａ，２４ａ，２５ａ，２６ａ，２７ａ，２８ａ，２３ｂ，２４ｂ，２５ｂ，２６ｂ，２７ｂ，２８ｂは、上記２つのハーフ２９，３０を互いに当接させた際に、図３（ｃ）に示すように、凹部２３ａ，２４ａ，２５ａ，２６ａ，２７ａ，２８ａ，２３ｂ，２４ｂ，２５ｂ，２６ｂ，２７ｂ，２８ｂの縁部が互いに当接して凹部２３ａ，２４ａ，２５ａ，２６ａ，２７ａ，２８ａ，２３ｂ，２４ｂ，２５ｂ，２６ｂ，２７ｂ，２８ｂに充填された粘土１１，１２，１３，１４が凹部２３ａ，２４ａ，２５ａ，２６ａ，２７ａ，２８ａ，２３ｂ，２４ｂ，２５ｂ，２６ｂ，２７ｂ，２８ｂにより押圧されることにより、図４（ａ）及び（ｂ）に示すような全体として立体形状の上記立体粘土１６，１７を作成しうるように構成されている。
また、図１に示すように、上記２つのハーフ２９，３０は、夫々、平面方形状に形成されると共に、互いに嵌合しうる複数の固定部３１ａ，３２ａ，３３ａ，３４ａ，３１ｂ，３２ｂ，３３ｂ，３４ｂを有し、上記複数の固定部３１ａと３１ｂ，３２ａと３２ｂ，３３ａと３３ｂ，３４ａと３４ｂを夫々嵌合した場合に、各辺３５ａと３５ｂ，３６ａと３６ｂ，３７ａと３７ｂ，３８ａと３８ｂが夫々一致する同一平面形状に形成されている。
また、上記粘土１１，１２，１３，１４は複数の色彩を有し、単色の色彩のブロックを複数個有している。
【実施例】
【００１５】
以下に、図面を用いて本実施例について詳細を説明する。
本実施例においては、アイスクリーム形状の消しゴムを作成する場合の消しゴム作成キットについて説明する。
図１に示すように、消しゴム作成キット１０は、熱を加えることにより消しゴム状に硬化しうる粘土１１，１２，１３，１４と、上記粘土１１，１２，１３，１４を充填することにより上記粘土１１，１２，１３，１４を立体形成しうる２つのハーフ２９，３０からなる立体型１５と、上記立体型１５により形成された図４（ｃ）に示すような立体粘土１６，１７を内部に載置しうると共に上記立体粘土１６，１７を水没させる水量の水Ａを蓄えうる容器１８と、作成説明書４０と、ペーパークラフト３９とにより構成されている。
また、図１に示すように、上記粘土１１，１２，１３，１４は、夫々、色彩の異なる４つの略直方体形状のブロックにより形成され、収納容器４１に収納されている。
また、上記収納容器４１は、平面略方形状に形成され、底面部４２と所定の高さ寸法を有する壁部４３，４４，４５，４６により構成され、長さ方向に沿って対向する上記壁部４３，４５の中央部に両端部が固定された仕切り板４７ａと、幅方向に沿って対向する壁部４４，４６の中央部に両端部が固定された仕切り板４７ｂとが上記収納容器４１の平面中央部で直角に交差することにより、上記収納容器４１は４箇所に仕切られ、上記仕切り板４７ａ，４７ｂにより仕切られた４箇所にブロック状の上記粘土１１，１２，１３，１４が収納されている。
【００１６】
また、上記立体型１５は、ポリプロピレン素材により形成され、方形状に形成された薄  板状の上面部４８ａ，４８ｂと、所定の高さ寸法を有する薄板状の側壁部４９ａ，４９ｂにより形成された平面同形状の一方のハーフ２９と他方のハーフ３０により構成されている。
また、一方のハーフ２９の上面部４８ａには、６つの凹部２３ａ，２４ａ，２５ａ，２６ａ，２７ａ，２８ａが形成され、同様に、他方のハーフ３０の上面部４８ｂには、６つの凹部２３ｂ，２４ｂ，２５ｂ，２６ｂ，２７ｂ，２８ｂが形成されている。
また、一方のハーフ２９の凹部２３ａ，２４ａ，２５ａ，２６ａ，２７ａ，２８ａの縁部には、上記凹部２３ａ，２４ａ，２５ａ，２６ａ，２７ａ，２８ａの輪郭を形成するように上記上面部４８ａから突出する輪郭凸部５０ａ，５１ａ，５２ａ，５３ａ，５４ａ，５５ａが形成され、同様に、他方のハーフ３０の凹部２３ｂ，２４ｂ，２５ｂ，２６ｂ，２７ｂ，２８ｂの縁部には、上記凹部２３ｂ，２４ｂ，２５ｂ，２６ｂ，２７ｂ，２８ｂの輪郭を形成するように上記上面部４８ｂから突出する輪郭凸部５０ｂ，５１ｂ，５２ｂ，５３ｂ，５４ｂ，５５ｂが上記一方のハーフ２９の輪郭凸部５０ａ，５１ａ，５２ａ，５３ａ，５４ａ，５５ａに当接しうるように形成されている。
【００１７】
また、図１に示すように、上記一方のハーフ２９の上面部４８ａに形成された６つの凹部２３ａ，２４ａ，２５ａ，２６ａ，２７ａ，２８ａは、粘土１１，１２，１３，１４が充填されて上記粘土１１，１２，１３，１４が立体形状に形成された場合に、図２に示すようなソフトクリーム形状の消しゴム２０の渦巻部分形状の消しゴム５６のハーフ体を形成する一方のソフトクリーム渦巻ハーフ体形成凹部２５ａと、ソフトクリーム消しゴム２０のコーン形状の消しゴム５７のハーフ体を形成する一方のコーンハーフ体形成凹部２３ａと、アイスクリーム形状の消しゴム５８のハーフ体を形成するアイスクリームハーフ体形成凹部２４ａと、棒状アイス形状２２のハーフ体を形成する棒状アイスハーフ体形成凹部２６ａと、クッキー形状２１のハーフ体を形成するクッキーハーフ体形成凹部２７ａと、ウエハース形状の消しゴム５９のハーフ体を形成するウエハースハーフ体形成凹部２８ａとにより構成されている。
また、同様に、上記他方のハーフ３０の上面部４８ｂに形成された６つの凹部２３ｂ，２４ｂ，２５ｂ，２６ｂ，２７ｂ，２８ｂは、粘土１１，１２，１３，１４が充填されて上記粘土１１，１２，１３，１４が立体形状に形成された場合に、図２に示すようなソフトクリーム形状の消しゴム２０の渦巻部分形状の消しゴム５６のハーフ体を形成する一方のソフトクリーム渦巻ハーフ体形成凹部２５ｂと、ソフトクリームのコーン形状の消しゴム５７のハーフ体を形成する一方のコーンハーフ体形成凹部２３ｂと、アイスクリーム形状の消しゴム５８のハーフ体を形成するアイスクリームハーフ体形成凹部２４ｂと、棒状アイス形状の消しゴム２２のハーフ体を形成する棒状アイスハーフ体形成凹部２６ｂと、クッキー形状の消しゴム２１のハーフ体を形成するクッキーハーフ体形成凹部２７ｂと、ウエハース形状の消しゴム５９のハーフ体を形成するウエハースハーフ体形成凹部２８ｂとにより構成されている。
【００１８】
また、図１に示すように、上記一方のハーフ２９の上面部４８ａの四隅には４つの固定凸部３１ａ，３２ａ，３３ａ，３４ａが形成され、上記他方のハーフ３０の上面部４８ｂの四隅には上記４つの固定凸部３１ａ，３２ａ，３３ａ，３４ａに夫々嵌合しうる４つの固定凹部３１ｂ，３２ｂ，３３ｂ，３４ｂが形成されている。
また、上記４つの固定凸部３１ａ，３２ａ，３３ａ，３４ａと上記４つの固定凹部３１ｂ，３２ｂ，３３ｂ，３４ｂとが嵌合した場合に、上記一方のハーフ２９の各辺３５ａ，３６ａ，３７ａ，３８ａと上記他方のハーフ３０の各辺３５ｂ，３６ｂ，３７ｂ，３８ｂが一致するように構成され、一方のハーフ２９に形成された輪郭凸部５０ａ，５１ａ，５２ａ，５３ａ，５４ａ，５５ａと、他方のハーフ３０に形成された輪郭凸部５０ｂ，５１ｂ，５２ｂ，５３ｂ，５４ｂ，５５ｂとが当接しうるように形成されている。
【００１９】
また、上記容器１８は、電子レンジの加熱に対応する耐熱性を有した薄板状の紙材質により形成され、上端部が開閉可能に開口された略立方体形状の箱体により形成されている。
また、図１に示すような上記ペーパークラフト３９は紙片部材により形成され、図２に示すように、アイスクリーム形状の消しゴム５８の周縁部を被覆してアイスクリーム形状の消しゴム５８を装飾しうるように図１に示すように、細幅帯状に形成されている。
また、図１に示すような作成説明書４０には、上記粘土１１，１２，１３，１４に熱を加えて図２に示すような消しゴム１９，２０，２１，２２を作成する手順が記されている。
また、上記容器１８は、上記収納容器４１に収納された上記粘土１１，１２，１３，１４、上記立体型１５、上記ペーパークラフト３９、及び上記作成説明書４０を収納しうる大きさ寸法に形成されている。
【００２０】
以下、本実施例の作用について説明する。
図１に示すような本実施例に係る消しゴム作成キット１０を使用して粘土１１，１２，１３，１４から図２に示すような消しゴム１９，２０，２１，２２を作成する方法を説明する。
図１に示すような作成説明書４０に記された手順により粘土１１，１２，１３，１４から図２に示すような消しゴム１９，２０，２１，２２を作成することができる。
まず、図１に示すような粘土１１，１２，１３，１４を夫々柔らかくなるまでよくこねる。
そして、上記粘土１１，１２，１３，１４を立体型１５に充填する前に上記立体型１５を水に潜らせる、又は、霧吹きにより満遍なく水をかけることにより立体型１５にたっぷり水を付ける。
そして、図１に示す立体型１５の凹部２３ａ，２４ａ，２５ａ，２６ａ，２７ａ，２８ａ，２３ｂ，２４ｂ，２５ｂ，２６ｂ，２７ｂ，２８ｂに色彩の異なる任意の粘土１１，１２，１３，１４を充填することにより上記粘土１１，１２，１３，１４を立体形状に形成する。
例えば、図２に示すようなソフトクリーム形状２０と棒状アイス形状２２の消しゴムを作成する場合には、図３（ａ）に示すように、一方のハーフ２９に形成された一方のソフトクリーム渦巻ハーフ体形成凹部２５ａに図１に示す粘土１１と、一方のコーンハーフ体形成凹部２３ａに図１に示す粘土１４と、一方の棒状アイスハーフ体形成凹部２６ａに図１に示す３色の粘土１１，１２，１４とを、適宜且つ適量夫々充填する。
この場合、一方のハーフ２９と他方のハーフ３０とを互いに当接させた際に２つのハーフ体２９，３０に十分充填される分量の上記粘土１１，１２，１４を一方のハーフ２９側に盛り上がるように充填する。
【００２１】
そして、図３（ｂ）及び（ｃ）に示すように、一方のハーフ２９に反転した他方のハーフ３０を重ね、一方のハーフ２９に形成された４つの固定凸部３１ａ，３２ａ，３３ａ，３４ａに他方のハーフ３０に形成された４つの固定凹部３１ｂ，３２ｂ，３３ｂ，３４ｂを夫々嵌合させる。
その後、図３（ｃ）に示すように、上記固定部３１ａ，３２ａ，３３ａ，３４ａ，３１ｂ，３２ｂ，３３ｂ，３４ｂにより嵌合されることにより重ねられた２つのハーフ２９，３０の上側から下方に向けて均一な力で上記２つのハーフ２９，３０を押圧する。
この場合、図１に示すように、上記一方のハーフ２９と上記他方のハーフ３０は、上記４つの固定凸部３１ａ，３２ａ，３３ａ，３４ａと上記４つの固定凹部３１ｂ，３２ｂ，３３ｂ，３４ｂとが嵌合した場合に、上記一方のハーフ２９と上記他方のハーフ３０との各辺が一致する同一平面形状を有すると共に上記凹部２３ａ，２４ａ，２５ａ，２６ａ，２７ａ，２８ａ，２３ｂ，２４ｂ，２５ｂ，２６ｂ，２７ｂ，２８ｂの縁部に形成された輪郭凸部５０ａ，５１ａ，５２ａ，５３ａ，５４ａ，５５ａ，５０ｂ，５１ｂ，５２ｂ，５３ｂ，５４ｂ，５５ｂが互いに当接するように構成されていることから、上記一方のハーフ２９の上記凹部２３ａ，２４ａ，２５ａ，２６ａ，２７ａ，２８ａに盛り上がるように充填された上記粘土１１，１２，１３，１４が上記他方のハーフ３０の上記凹部２３ｂ，２４ｂ，２５ｂ，２６ｂ，２７ｂ，２８ｂに押圧されることにより、図４（ａ）及び（ｂ）に示すように、全体として立体形状の立体粘土１６ａ，１６ｂ，１７を作成することができる。
【００２２】
その後、上記２つのハーフ２９，３０を離間させて、上記立体形状に作成された図４（ａ）及び（ｂ）に示すような立体粘土１６ａ，１６ｂ，１７を取り外す。
この場合、上記立体型１５には、十分な水が付けられていることから、上記立体型１５により形成された上記立体粘土１６ａ，１６ｂ，１７を容易に上記立体型１５から取り外すことができる。
そして、上記立体型１５から取り外した立体粘土１６ａ，１６ｂ，１７の水分を除去し、図４（ａ）及び（ｂ）に示すように、適宜、立体粘土１６ａ，１６ｂ同士を組み合わせたり、他の色彩の粘土を追加することにより、自分の好みの形状に形成すると共に好みの色彩を施し、最後に全体の体裁を整えて全体として立体形状の立体粘土１６，１７を作成することができる。
具体的には、図４（ａ）に示すように、渦巻ハーフ体形成凹部２５ａ，２５ｂにより形成された渦巻部分形状の立体粘土１６ａと、コーンハーフ体形成凹部２３ａ，２３ｂにより形成されたコーン形状の立体粘土１６ｂとを組み合わせて結合することにより、全体としてソフトクリーム形状の立体粘土１６を作成することができる。
また、図１に示すような粘土１１，１２，１４を立体型１５の棒状アイスハーフ体形成凹部２６ａ，２６ｂに適宜充填することにより、図４（ｂ）に示すような３色の色彩が施された棒状アイス形状の立体粘土１７を作成することができる。
【００２３】
次に、図４（ｃ）に示すように、作成した上記立体粘土１６，１７を容器１８の内部の底面に載置した後に、上記容器１８の内部に載置された上記立体粘土の約１．５ｃｍ上まで水を入れて上記立体粘土１６，１７を水没させる。
この際、上記立体粘土１６，１７は硬化していないことから破損しやすいため、上記容器１８の内部に載置された上記立体粘土１６，１７に水を直接当てないように水を注ぐ点に注意する。
このように水没させた立体粘土１６，１７を上記容器１８の開口部を開放したまま、電子レンジに入れて加熱処理を施す。
この場合、電子レンジによる加熱処理時間は、図４（ｃ）に示すようなソフトクリーム形状の立体粘土１６の場合には、５００Ｗで約３分３０秒間加熱処理することにより、容器１８内の水が加熱されて上記立体粘土１６は消しゴム状に硬化する。
また、図４（ｃ）に示すような棒状アイス形状の立体粘土１７の場合には、５００Ｗで約２分３０秒間加熱処理することにより、容器１８内の水が加熱されて上記立体粘土１７は消しゴム状に硬化する。
その後、容器１８からお湯を捨て、再び水を容器１８に注いで上記消しゴム状に硬化した上記立体粘土１６，１７を冷却する。
そして、作成された上記消しゴムを水から取り出して、十分に乾かすことにより、図２に示すような、精巧な立体形状を有すると共に色彩の施された消しゴム２０，２２を作成することができる。
そして、本考案に係る消しゴム作成キット１０に付属している図１に示すようなペーパークラフト３９を使用して、例えば、図２に示すように、アイスクリーム形状の消しゴム５８を作成した場合には、アイスクリーム形状の周縁を被覆して装飾することもできる。
【００２４】
このように、粘土１１，１２，１３，１４を加熱することにより、図２に示すような立体形状の消しゴム１９，２０，２１，２２を容易に作成することができる。
また、電子レンジで水を加熱処理することにより消しゴム１９，２０，２１，２２を作成できるので、従来のようにオーブントースターの予熱で加熱したり、湯がく等により加熱する必要がなく、自分の好みの消しゴム１９，２０，２１，２２を安全、且つ、容易に作成することができる。
また、調理器具を使用しないことから調理器具を汚すことなく、自分の好みの消しゴム１９，２０，２１，２２を手軽に作成することができる。
また、図１に示すように、上記容器１８は、収納容器４１に収納された粘土１１，１２，１３，１４、立体型１５、ペーパークラフト３９、及び作成説明書４０を収納しうる大きさ寸法に形成されているので、上記容器１８に収納容器４１に収納された粘土１１，１２，１３，１４、立体型１５、ペーパークラフト３９、及び作成説明書４０を収納することにより消しゴム作成キット１０として持ち運ぶことができる。
また、本実施例においては、アイスクリーム形状の消しゴム１９，２０，２１，２２を作成する場合を例に説明したが、これに限定されるものではなく、例えば、ケーキ形状やハンバーガー形状の消しゴムを作成する消しゴム作成キットとすることもできる。
【産業上の利用可能性】
【００２５】
本考案は、消しゴム作成キットに係り、容易に立体形状の消しゴムを作成することができる消しゴム作成キットに適用することができる。
【図面の簡単な説明】
【００２６】
【図１】本考案に係る消しゴム作成キットの一実施の形態を示す斜視図である。
【図２】本考案に係る消しゴム作成キットにより作成された消しゴムの一実施の形態を示す斜視図である。
【図３】（ａ）は本考案に係る消しゴム作成キットの立体型に粘土を充填した状態を示す斜視図であり、（ｂ）及び（ｃ）は立体型に充填された粘土を押圧する状態を示す斜視図である。
【図４】（ａ）及び（ｂ）は本考案に係る消しゴム作成キットにより形成された立体粘土を示す斜視図であり、（ｃ）及び（ｄ）は立体粘土から消しゴムを作成する手順を示す図である。
【符号の説明】
【００２７】
１０    消しゴム作成キット
１１    粘土
１２    粘土
１３    粘土
１４    粘土
１５    立体型
１６    立体粘土
１６ａ  立体粘土
１６ｂ  立体粘土
１７    立体粘土
１８    容器
１９    消しゴム
２０    消しゴム
２１    消しゴム
２２    消しゴム
２３ａ  凹部
２３ｂ  凹部
２４ａ  凹部
２４ｂ  凹部
２５ａ  凹部
２５ｂ  凹部
２６ａ  凹部
２６ｂ  凹部
２７ａ  凹部
２７ｂ  凹部
２８ａ  凹部
２８ｂ  凹部
２９    一方のハーフ
３０    他方のハーフ
３１ａ  固定部
３１ｂ  固定部
３２ａ  固定部
３２ｂ  固定部
３３ａ  固定部
３３ｂ  固定部
３４ａ  固定部
３４ｂ  固定部
３５ａ  固定部
３５ｂ  固定部
３６ａ  固定部
３６ｂ  固定部
３７ａ  固定部
３７ｂ  固定部
３８ａ  固定部
３８ｂ  固定部
３９    ペーパークラフト
４０    作成説明書
４１    収納容器
４２    底面部
４３    壁部
４４    壁部
４５    壁部
４６    壁部
４７ａ  仕切り板
４７ｂ  仕切り板
４８ａ  上面部
４８ｂ  上面部
４９ａ  側壁部
４９ｂ  側壁部
５０ａ  輪郭凸部
５０ｂ  輪郭凸部
５１ａ  輪郭凸部
５１ｂ  輪郭凸部
５２ａ  輪郭凸部
５２ｂ  輪郭凸部
５３ａ  輪郭凸部
５３ｂ  輪郭凸部
５４ａ  輪郭凸部
５４ｂ  輪郭凸部
５５ａ  輪郭凸部
５５ｂ  輪郭凸部
５６    渦巻部分形状の消しゴム
５７    コーン形状の消しゴム
５８    アイスクリーム形状の消しゴム
５９    ウエハース形状の消しゴム
Ａ      水
【図１】
0003142498.tif 000003
【図２】
0003142498.tif 000004
【図３】
0003142498.tif 000005
【図４】
0003142498.tif 000006